(57)【要約】【課題】媒体に照射される光の明るさの低下を抑制しつつ、小型化を図ることが可能な画像読取装置を提供すること。【解決手段】画像読取装置１は、媒体２の被撮像面２ａを撮影するための撮像レンズ３および撮像素子４と、被撮像面２ａに光を照射する光源５と、光源５から射出された光を被撮像面２ａに向かって反射する反射部材６とを備えている。光源５は、撮像レンズ３の画角θ１によって規定される領域Ｒ１、Ｒ２の外側であって、かつ、被撮像面２ａに光を直接照射することが可能な位置に配置されている。反射部材６は、撮像レンズ３の光軸Ｌに直交する方向において、撮像レンズ３の光軸Ｌに対して光源５の反対側に配置されている。【選択図】図３
2010219852.tif 000002
【特許請求の範囲】
【請求項１】
媒体の被撮像面を撮影するための撮像素子および撮像レンズと、前記被撮像面に光を照射する光源と、前記光源から射出された光を前記被撮像面に向かって反射する反射部材とを備え、
前記光源は、前記撮像レンズの画角によって規定される領域の外側であって、かつ、前記被撮像面に光を直接照射することが可能な位置に配置され、
前記反射部材は、前記光源から前記被撮像面に直接照射される光量が減少する範囲に、前記反射部材で反射された反射光が照射されるように配置されていることを特徴とする画像読取装置。
【請求項２】
媒体の被撮像面を撮影するための撮像素子および撮像レンズと、前記被撮像面に光を照射する光源と、前記光源から射出された光を前記被撮像面に向かって反射する反射部材とを備え、
前記光源は、前記撮像レンズの画角によって規定される領域の外側であって、かつ、前記被撮像面に光を直接照射することが可能な位置に配置され、
前記反射部材の少なくとも一部は、前記撮像レンズの光軸に直交する方向であって、かつ、前記撮像レンズの光軸方向から見たときの前記光源の光軸に平行な方向において、前記光源に対して前記撮像レンズの光軸よりも遠い位置に配置されていることを特徴とする画像読取装置。
【請求項３】
前記反射部材は、前記撮像レンズの光軸に直交する方向であって、かつ、前記撮像レンズの光軸方向から見たときの前記光源の光軸に平行な方向において、前記撮像レンズの光軸に対して前記光源の反対側に配置され、
前記反射部材は、前記光源から射出された光の一部を、前記被撮像面の、前記撮像レンズの光軸よりも前記光源側の部分に向かって反射するように配置されていることを特徴とする請求項２記載の画像読取装置。
【請求項４】
前記反射部材は、前記光源からの光を正反射することを特徴とする請求項１から３いずれかに記載の画像読取装置。
【請求項５】
前記光源は、前記撮像レンズの画角によって規定される領域の近傍に配置されていることを特徴とする請求項１から４いずれかに記載の画像読取装置。
【請求項６】
前記反射部材は、前記撮像レンズの画角によって規定される領域のうちの前記被撮像面の画像を直接に撮像する直接画角領域の外側であって、前記被撮像面を反射面として折り返された光が前記撮像レンズに入射可能である反射画角領域の中に配置されていることを特徴とする請求項１から５いずれかに記載の画像読取装置。
【請求項７】
前記光源から射出される光が前記撮像レンズに直接入射するのを防止する遮光部材を備えることを特徴とする請求項１から６いずれかに記載の画像読取装置。
【請求項８】
前記撮像レンズの光軸に直交する方向に平行な一方向に配列される複数の前記光源を備え、
前記一方向における複数の前記光源の配置間隔は、前記撮像レンズの光軸に近づくにしたがって大きくなっていることを特徴とする請求項１から７いずれかに記載の画像読取装置。
【発明の詳細な説明】
【技術分野】
【０００１】
本発明は、媒体の画像を読み取る画像読取装置に関する。
【背景技術】
【０００２】
従来、紙等の媒体の画像を読み取る画像読取装置として、撮像レンズと、媒体を撮像する撮像手段と、媒体に光を照射する照明装置と、照明装置から射出された光を媒体に向かって正反射する反射板と、照明装置からの光が直接、撮像レンズに入射するのを防ぐ遮光板とを備える画像読取装置が知られている（たとえば、特許文献１参照。）。この特許文献１に記載の画像読取装置では、媒体に対して均一な明るさの光を照射するため、撮像手段の光軸に対して対称な２箇所に照明装置および反射板が配置されている。
【０００３】
また、特許文献１に記載の画像読取装置では、照明装置からの光が直接、媒体に照射されるのを遮る位置に遮光板が配置されており、照明装置から射出され反射板で反射された光のみが媒体に照射される。そして、この画像読取装置では、媒体を反射面として折り返される撮像レンズの視野角よりも内側（すなわち、媒体を反射面として折り返される光が撮像レンズに入射する領域）に照明装置を配置して、装置の小型化を図っている。また、この画像読取装置では、遮光板を所定位置に配置することで、照明装置から射出された後に媒体で反射された光が直接、撮像手段に入射して、撮影した画像の一部が白くなるいわゆるゴースト現象（照明光の写り込み）の発生を防止している。
【先行技術文献】
【特許文献】
【０００４】
【特許文献１】特開２００２−１２５０９５号公報
【発明の概要】
【発明が解決しようとする課題】
【０００５】
しかしながら、特許文献１に記載の画像読取装置では、撮像手段の光軸に対して対称な２箇所に照明装置および反射板が配置されているため、装置が大型化しやすくなる。また、この画像読取装置では、照明装置から射出され反射板で反射された光のみが媒体に照射されるため、反射板での反射によって光が減衰して、媒体に照射される光の明るさが低下してしまう。
【０００６】
そこで、本発明の課題は、媒体に照射される光の明るさの低下を抑制しつつ、小型化を図ることが可能な画像読取装置を提供することにある。
【課題を解決するための手段】
【０００７】
上記の課題を解決するため、本発明の画像読取装置は、媒体の被撮像面を撮影するための撮像素子および撮像レンズと、被撮像面に光を照射する光源と、光源から射出された光を被撮像面に向かって反射する反射部材とを備え、光源は、撮像レンズの画角によって規定される領域の外側であって、かつ、被撮像面に光を直接照射することが可能な位置に配置され、反射部材は、光源から被撮像面に直接照射される光量が減少する範囲に、反射部材で反射された反射光が照射されるように配置されていることを特徴とする。
【０００８】
本発明の画像読取装置では、光源は、被撮像面に光を直接照射することが可能な位置に配置され、反射部材は、光源から被撮像面に直接照射される光量が減少する範囲に、反射部材で反射された反射光が照射されるように配置されている。そのため、撮像レンズの光軸に対して対称な２箇所に光源が配置されていなくても、媒体に照射される光の明るさが低下するのを抑制することが可能になる。すなわち、本発明では、媒体に照射される光の明るさの低下を抑制しつつ、光源の設置箇所を減らすことができる。したがって、媒体に照射される光の明るさの低下を抑制しつつ、本発明の画像読取装置では、装置を小型化することが可能になる。
【０００９】
また、上記の課題を解決するため、本発明の画像読取装置は、媒体の被撮像面を撮影するための撮像素子および撮像レンズと、被撮像面に光を照射する光源と、光源から射出された光を被撮像面に向かって反射する反射部材とを備え、光源は、撮像レンズの画角によって規定される領域の外側であって、かつ、被撮像面に光を直接照射することが可能な位置に配置され、反射部材の少なくとも一部は、撮像レンズの光軸に直交する方向であって、かつ、撮像レンズの光軸方向から見たときの光源の光軸に平行な方向において、光源に対して撮像レンズの光軸よりも遠い位置に配置されていることを特徴とする。
【００１０】
本発明の画像読取装置では、光源は、被撮像面に光を直接照射することが可能な位置に配置され、反射部材の少なくとも一部は、撮像レンズの光軸に直交する方向であって、かつ、撮像レンズの光軸方向から見たときの光源の光軸に平行な方向において、光源に対して撮像レンズの光軸よりも遠い位置に配置されている。そのため、撮像レンズの光軸に対して対称な２箇所に光源が配置されていなくても、被撮像面の、光源から離れた箇所（すなわち、光源に対して撮像レンズの光軸よりも遠い位置に配置された箇所）には、反射部材で反射された明るい光が照射される。したがって、本発明では、媒体に照射される光の明るさの低下を抑制することが可能になる。また、本発明では、光源の設置箇所を減らすことができるため、画像読取装置を小型化することが可能になる。
【００１１】
本発明において、反射部材は、撮像レンズの光軸に直交する方向であって、かつ、撮像レンズの光軸方向から見たときの光源の光軸に平行な方向において、撮像レンズの光軸に対して光源の反対側に配置され、反射部材は、光源から射出された光の一部を、被撮像面の、撮像レンズの光軸よりも光源側の部分に向かって反射するように配置されていることが好ましい。このように構成すると、被撮像面に略均一な明るさの光を照射することが可能になる。
【００１２】
本発明において、反射部材は、光源からの光を正反射することが好ましい。このように構成すると、光源から射出された光の反射部材での乱反射を防止することができるため、撮影した画像の一部が白くなるいわゆるゴースト現象の発生を確実に防止することが可能になる。
【００１３】
本発明において、光源は、撮像レンズの画角によって規定される領域の近傍に配置されていることが好ましい。このように構成すると、光源から被撮像面に直接照射される光および反射部材で反射されて被撮像面に照射される光の被撮像面に対する入射角を小さくすることが可能になり、照明深度を確保することが可能になる。
【００１４】
本発明において、反射部材は、撮像レンズの画角によって規定される領域のうちの被撮像面の画像を直接に撮像する直接画角領域の外側であって、被撮像面を反射面として折り返された光が撮像レンズに入射可能である反射画角領域の中に配置されていることが好ましい。このように構成すると、撮像レンズの画角によって規定される領域のうちの被撮像面の画像を直接に撮像する直接画角領域の外側であって、被撮像面を反射面として折り返された光が撮像レンズに入射可能である反射画角領域の中に反射部材が配置されているため、撮像素子側から見たときに反射部材と被撮像面とが重ならないうえに、光源からの光は被撮像面に照射される。したがって、被撮像面を適切に撮影することができる。また、被撮像面を反射面として折り返された光が撮像レンズに入射可能である反射画角領域の中に反射部材が配置されているため、画像読取装置を小型化することが可能になる。
【００１５】
本発明において、画像読取装置は、光源から射出される光が撮像レンズに直接入射するのを防止する遮光部材を備えることが好ましい。このように構成すると、撮影した画像の一部が白くなるいわゆるゴースト現象の発生を確実に防止することが可能になる。
【００１６】
本発明において、画像読取装置は、撮像レンズの光軸に直交する方向に平行な一方向に配列される複数の光源を備え、一方向における複数の光源の配置間隔は、撮像レンズの光軸に近づくにしたがって大きくなっていることが好ましい。このように構成すると、被撮像面で反射され撮像レンズに入射する光の明るさを略均一にすることが可能になる。
【発明の効果】
【００１７】
以上のように、本発明の画像読取装置では、媒体に照射される光の明るさの低下を抑制しつつ、装置の小型化を図ることが可能になる。
【図面の簡単な説明】
【００１８】
【図１】本発明の実施の形態にかかる画像読取装置の概略構成を側面から説明するための図である。
【図２】図１のＥ−Ｅ方向から画像読取装置の概略構成を説明するための図である。
【図３】図１に示す撮像レンズに対する光源および反射部材の位置関係を説明するための図である。
【図４】本発明の他の実施の形態にかかる反射部材を説明するための図である。
【図５】本発明の他の実施の形態にかかる反射部材を説明するための図である。
【図６】図５のＦ−Ｆ方向から画像読取装置の概略構成を説明するための図である。
【発明を実施するための形態】
【００１９】
以下、本発明の実施の形態を図面に基づいて説明する。
【００２０】
（画像読取装置の構成）
図１は、本発明の実施の形態にかかる画像読取装置１の概略構成を側面から説明するための図である。図２は、図１のＥ−Ｅ方向から画像読取装置１の概略構成を説明するための図である。図３は、図１に示す撮像レンズ３に対する光源５および反射部材６の位置関係を説明するための図である。
【００２１】
本形態の画像読取装置１は、ＩＤカード、免許証あるいはパスポート等の媒体２に印刷等された文字や記号、図形（以下、画像とする。）を読み取るための装置である。この画像読取装置１は、図１、図２に示すように、画像が印刷等された媒体２の撮像面２ａを撮影するための撮像レンズ３および撮像素子４と、被撮像面２ａに光を照射する光源５と、光源５から射出された光を被撮像面２ａに向かって反射する反射部材６と、これらの構成が収納される筐体７とを備えている。
【００２２】
なお、以下の説明では、互いに直交するＸ方向、Ｙ方向およびＺ方向のうち、図１等のＸ方向を「左右方向」、Ｙ方向を「前後方向」、Ｚ方向を「上下方向」とする。また、Ｘ１方向側を「右」側、Ｘ２方向側を「左」側、Ｚ１方向側を「上」側、Ｚ２方向側を「下側」とする。
【００２３】
撮像レンズ３および撮像素子４は、画像読取装置１の下端側に配置されている。具体的には、撮像素子４が画像読取装置１の底面側に配置され、撮像レンズ３が撮像素子４の上方に配置されており、撮像レンズ３の光軸Ｌは、上下方向と平行になっている。また、撮像レンズ３および撮像素子４は、前後方向では、画像読取装置１の略中心に配置され、左右方向では、画像読取装置１の中心よりも右側に寄った位置に配置されている。
【００２４】
本形態では、撮像レンズ３の画角θ１によって規定される領域を直接画角領域Ｒ１および反射画角領域Ｒ２とする。直接画角領域Ｒ１は、被撮像面２ａの画像を直接に撮像する領域である。反射画角領域Ｒ２は、直接画角領域Ｒ１の外側であって、被撮像面２ａを反射面として折り返された光が撮像レンズ３に入射可能である領域である。すなわち、反射画角領域Ｒ２は、被撮像面２ａを反射面として直接画角領域Ｒ１に入（反）射する光の角度θ２で折り返された画像が撮像可能となる領域である。なお、以下では、直接画角領域Ｒ１を領域Ｒ１、反射画角領域Ｒ２を領域Ｒ２と表記する。
【００２５】
撮像素子４は、たとえば、ＣＣＤ（Ｃｈａｒｇｅ  Ｃｏｕｐｌｅｄ  Ｄｅｖｉｃｅ）あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）である。
【００２６】
光源５は、たとえば、ＬＥＤ（Ｌｉｇｈｔ  Ｅｍｉｔｔｉｎｇ  Ｄｉｏｄｅ）である。本形態の画像読取装置１は、図２に示すように、複数の光源５を備えており、複数の光源５は、細長い長方形の板状に形成された基板１０に実装されている。基板１０は、ブラケット１１を介して筐体７に取り付けられ、前後方向と長手方向として、画像読取装置１の左端側に配置されている。また、基板１０は、撮像レンズ３よりも上方に配置されるとともに、光源５の取付面１０ａが右斜め上方を向くようにブラケット１１に固定されている。
【００２７】
複数の光源５は、基板１０上で前後方向に配列されている。図２に示すように、複数の光源５の配置間隔は、前後方向における基板１０の中心から前後方向の外側に向かうにしたがって狭くなっている。すなわち、複数の光源５の配置間隔は、前後方向において、撮像レンズ３の光軸Ｌに近づくにしたがって大きくなっている。本形態では、撮像レンズ３の光軸方向となる上下方向から見たときに、複数の光源５は、一定の光軸を有して右側に向かって光を射出する指向性を備えている。すなわち、本形態では、左右方向は、撮像レンズ３の光軸Ｌに直交する方向であって、かつ、上下方向から見たときの光源５の光軸に平行な方向となっている。
【００２８】
なお、詳細には、基板１０には、光源５として、ＲＧＢの３色の光を射出する複数の３色ＬＥＤが前後方向において撮像レンズ３の光軸Ｌに近づくにしたがってその配置間隔が大きくなるように実装されるとともに、光源５として、赤外光を射出する複数の赤外線ＬＥＤが前後方向において撮像レンズ３の光軸Ｌに近づくにしたがってその配置間隔が大きくなるように実装されているが、図２では、便宜上、３色ＬＥＤと赤外線ＬＥＤとを区別せずに図示している。
【００２９】
反射部材６は、光源５からの光を正反射する部材であり、具体的には、ミラーである。この反射部材６は、図１、図２に示すように、細長い長方形の板状に形成されており、前後方向を長手方向して、画像読取装置１の右端側に配置されている。すなわち、反射部材６は、左右方向において、光源５に対して撮像レンズ３の光軸Ｌよりも遠い位置に配置されている。具体的には、反射部材６は、左右方向において、撮像レンズ３の光軸Ｌに対して光源５の反対側に配置されている。また、反射部材６は、光源５よりも上方に配置されるとともに、反射面６ａが左斜め上方を向くように筐体７に固定されている。
【００３０】
筐体７には、光源５から射出される光が撮像レンズ３に直接入射するのを防止する遮光部材としての遮光部７ａが形成されている。また、筐体７には、反射部材６の取付部７ｂが形成されている。
【００３１】
遮光部７ａは、左右方向における撮像レンズ３と光源５との間に、筐体７の底面側から起立するように形成されている。上下方向における遮光部７ａの上端位置は、たとえば、光源５の配置位置とほぼ等しくなっている。また、遮光部７ａは、前後方向における筐体７の全域にわたって形成されている。取付部７ｂは、図１に示すように、右側に向かって窪むように形成されている。この取付部７ｂの底面７ｃは、画像読取装置１の外部から撮像レンズ３へ向かう光を遮る遮光機能を果たしている。
【００３２】
図１に示すように、光源５は、媒体２の被撮像面２ａに光を直接照射することが可能な位置に配置されている。また、図３に示すように、光源５は、撮像レンズ３の画角θ１によって規定される領域Ｒ１、Ｒ２の外側に配置されている。すなわち、光源５から射出され被撮像面２ａで反射された光が直接、撮像レンズ３に入射しないように、光源５が配置されている。本形態では、光源５は、領域Ｒ２の近傍に配置されている。すなわち、光源５は、領域Ｒ２の外側に配置されてはいるが、比較的領域Ｒ２に近い位置に配置されている。具体的には、光源５は、領域Ｒ２の外側において、比較的下側に配置されている。なお、光源５は、領域Ｒ２のすぐ外側に配置されていることが好ましい。
【００３３】
上述のように、反射部材６は、左右方向において、撮像レンズ３の光軸Ｌに対して光源５の反対側に配置されており、主として、光源５から射出された光を、被撮像面２ａの、撮像レンズ３の光軸Ｌよりも右側の部分に向かって反射している。すなわち、本形態では、反射部材６は、光源５からの距離が遠くなって光源５から被撮像面２ａに直接照射される光量が減少する範囲に、反射部材６で反射された反射光が照射されるように配置されている。
【００３４】
また、反射部材６は、図１に示すように、光源５から射出され、遮光部７ａの上端をかすめるように通過した光Ｂ１を、被撮像面２ａの、撮像レンズ３の光軸Ｌよりも左側の部分に向かって反射するように配置されている。すなわち、光源５から射出され反射部材６で反射される光のうち、被撮像面２ａの最も左側部分に照射される光Ｂ１が、撮像レンズ３の光軸Ｌよりも左側の部分に照射されるように、反射部材６が配置されている。さらに、反射部材６は、図３に示すように、領域Ｒ１の外側であって、領域Ｒ２の中に配置されている。
【００３５】
また、反射部材６は、光源５から射出され反射部材６で反射された後に被撮像面２ａで反射された光が直接、撮像レンズ３に入射しないように配置されている。すなわち、図３に示すように、画角θ１の範囲内において、仮に撮像レンズ３から光Ｂ２、Ｂ３が射出されるとした場合、被撮像面２ａで反射された後、反射部材６で反射された光Ｂ２、Ｂ３が遮光部７ａに遮られて、光源５に直接入射しないように、反射部材６が配置されている。
【００３６】
（本形態の主な効果）
以上説明したように、本形態では、光源５は、媒体２の被撮像面２ａに光を直接照射することが可能な位置に配置されている。また、反射部材６は、左右方向において、撮像レンズ３の光軸Ｌに対して光源５の反対側に配置されている。そのため、本形態では、撮像レンズ３の光軸Ｌに対して対称な２箇所に光源５が配置されていなくても、被撮像面２ａの、撮像レンズ３の光軸Ｌよりも右側の箇所には、反射部材６で反射された明るい光が照射される。すなわち、光源５からの距離が遠くなって光源５から被撮像面２ａに直接照射される光量が減少する範囲に、反射部材６で反射された明るい光が照射される。
【００３７】
したがって、本形態では、撮像レンズ３の光軸Ｌに対して対称な２箇所に光源５が配置されていなくても、媒体２に照射される光の明るさが低下するのを抑制することができる。また、本形態では、媒体２に照射される光の明るさの低下を抑制しつつ、光源５の設置箇所を減らすことができるため、画像読取装置１を小型化することができる。特に本形態では、反射部材６は、領域Ｒ２の中に配置されているため、画像読取装置１をより小型化することができる。
【００３８】
本形態では、反射部材６は、領域Ｒ１の外側に配置されているため、撮像素子４側から見たときに反射部材６と被撮像面２ａとが重ならない。したがって、本形態では、被撮像面２ａを適切に撮影することができる。
【００３９】
本形態では、反射部材６は、光源５からの光を正反射しており、反射部材６では、光源５から射出された光が乱反射されていない。また、本形態では、筐体７には、光源５から射出される光が撮像レンズ３に直接入射するのを防止する遮光部７ａが形成されている。そのため、本形態では、撮影した画像の一部が白くなるいわゆるゴースト現象の発生を確実に防止することが可能になる。
【００４０】
本形態では、光源５は、領域Ｒ２の近傍に配置されている。すなわち、光源５は、領域Ｒ２の外側において、比較的下側に配置されている。そのため、光源５から被撮像面２ａに直接照射される光および反射部材６で反射されて被撮像面２ａに照射される光の被撮像面２ａに対する入射角を小さくすることが可能になり、照明深度を確保することが可能になる。
【００４１】
本形態では、光源５から射出され反射部材６で反射される光のうち、被撮像面２ａの最も左側部分に照射される光Ｂ１が、撮像レンズ３の光軸Ｌよりも左側の部分に照射されるように、反射部材６が配置されている。そのため、光源５から被撮像面２ａに直接照射される光量の低下分を、反射部材６で反射されて被撮像面２ａに照射される光量で適切に補うことが可能になる。したがって、本形態では、被撮像面２ａに略均一な明るさの光を照射することが可能になる。
【００４２】
また、本形態では、複数の光源５の配置間隔は、前後方向において、撮像レンズ３の光軸Ｌに近づくにしたがって大きくなっている。そのため、被撮像面２ａで反射され撮像レンズ３に入射する光の前後方向での明るさを略均一にすることが可能になる。
【００４３】
（他の実施の形態）
上述した形態は、本発明の好適な形態の一例ではあるが、これに限定されるものではなく本発明の要旨を変更しない範囲において種々変形実施が可能である。
【００４４】
上述した形態では、反射部材６は、細長い長方形の板状に形成されている。この他にもたとえば、図４に示すように、反射部材６は、円弧状に形成されても良い。この場合には、たとえば、円弧状に形成された反射部材６の円周方向端の間に、光源５が実装された基板１０が配置される。また、この場合には、反射部材６の径方向の内側に向かうにしたがって下側に反射面６ａが傾斜するように、反射部材６が配置される。さらに、この場合には、たとえば、反射部材６は、領域Ｒ１（図３参照）の外側であって、かつ、領域Ｒ２（図３参照）の内側に配置される。この場合には、より略均一な明るさの光を被撮像面２ａに照射することが可能になる。なお、この場合であっても、反射部材６の一部は、左右方向において、光源５に対して撮像レンズ３の光軸Ｌよりも遠い位置に配置されている。
【００４５】
上述した形態では、撮像レンズ３の右側に反射部材６が配置されている。この他にもたとえば、図５、図６に示すように、撮像レンズ３の前後両側のそれぞれに反射部材６が配置されても良い。この場合には、たとえば、２個の反射部材６は、前後方向の内側に向かうにしたがって下側に反射面６ａが傾斜するように配置されるとともに、右側に向かうにしたがって反射部材６が上側かつ前後方向の内側に向かって傾斜するように配置される。また、この場合には、反射部材６の左端側の一部以外は、左右方向において、光源５に対して、撮像レンズ３の光軸Ｌよりも遠い位置に配置される。さらに、この場合には、たとえば、２個の反射部材６は、領域Ｒ１（図３参照）の外側であって、かつ、領域Ｒ２（図３参照）の内側に配置される。
【００４６】
この場合であっても、被撮像面２ａの、撮像レンズ３の光軸Ｌよりも右側の箇所には、反射部材６で反射された明るい光が照射される。すなわち、光源５からの距離が遠くなって光源５から被撮像面２ａに直接照射される光量が減少する範囲に、反射部材６で反射された明るい光が照射される。したがって、この場合であっても、媒体２に照射される光の明るさが低下するのを抑制することができ、また、光源５の設置箇所を減らして、画像読取装置１を小型化することができる。なお、図６では、図５のＦ−Ｆ方向から画像読取装置１の概略構成が図示されている。
【００４７】
上述した形態では、反射部材６は、ミラーであるが、反射部材６は、プリズムであっても良い。この場合には、仮に撮像レンズ３から光が射出されるとした場合、撮像レンズ３から射出され被撮像面２ａで反射された光は、反射部材６を透過するが、光源５から射出された光は、被撮像面２ａに向かって反射部材６で反射される。
【００４８】
上述した形態では、画像読取装置１は、複数の光源５を備えているが、画像読取装置１が備える光源５は、１個であっても良い。この場合には、前後方向に媒体２を走査させて被撮像面２ａの画像を撮影すれば良い。また、この場合には、前後方向における反射部材６および基板１０の長さを短くすることができる。
【００４９】
なお、上述した形態において、光源５の右方に、光の拡散作用を有する拡散部材あるいは集光作用を有するシリンドリカルレンズ等の集光部材（集光レンズ）を配置しても良い。たとえば、光源５の指向性が強い場合には、拡散部材を配置して、媒体２の照射される光のムラを抑制しても良い。また、上述した形態では、媒体２と撮像素子４との距離（すなわち、像物間距離）が比較的短くなっているが、媒体２と撮像素子４との距離が比較的長くなっていても良い。
【符号の説明】
【００５０】
１  画像読取装置
２  媒体
２ａ  被撮像面
３  撮像レンズ
４  撮像素子
５  光源
６  反射部材
７ａ  遮光部（遮光部材）
Ｌ  光軸
Ｒ１  直接画角領域（画角によって規定される領域の一部）
Ｒ２  反射画角領域（画角によって規定される領域の一部）
θ１  画角
θ２  撮像面で入射または反射する光の角度
【図１】
2010219852.tif 000003
【図２】
2010219852.tif 000004
【図３】
2010219852.tif 000005
【図４】
2010219852.tif 000006
【図５】
2010219852.tif 000007
【図６】
2010219852.tif 000008